(57)【要約】【課題】被測定者に負担をかけずに体温を測定する。【解決手段】被測定者の口中に挿入するプローブを、舌下に挿入して口唇部で安定して保持できるように、コイルされた伸縮自在の合成樹脂製のケーブル３で本体と接続し、プローブは先端部においてサーミスタを備え、該サーミスタが設けられた部分だけ金属製キャップ２ｃで覆い、プローブの幅をほとんどの部分で１３乃至１５ｍｍとした扁平形状とした。【選択図】図２
2005010169.tif 000002
【特許請求の範囲】
【請求項１】
測定日時や測定された体温、基礎体温のトレンド等の測定値に関する情報や、電池切れなど装置の制御に関する情報を表示する表示パネルと、体温測定に関する各種メモ情報を入力するためのキーパネルとを含む操作パネルを備える本体部と、プローブとを備え、該プローブを横臥したままの状態で口中に挿入して体温を測定する婦人体温計であって、
前記プローブはコイルされた伸縮自在の合成樹脂製のケーブルで前記本体と接続され、
前記プローブは先端部においてサーミスタを備え、該サーミスタが設けられた部分だけ金属製キャップで覆い、該プローブの幅をほとんどの部分で１３乃至１５ｍｍとした扁平形状としたことを特徴とする婦人体温計。
【請求項２】
前記プローブは、２つの部材を超音波溶着により接合してなることを特徴とする請求項１に記載の婦人体温計。
【発明の詳細な説明】
【技術分野】
【０００１】
本発明は、婦女子が基礎体温を測定し、測定された体温値のトレンドから妊娠や避妊あるいは健康管理などを行うための婦人体温計に関する。
【背景技術】
【０００２】
婦女子の基礎体温は周期的に高温相と低温相の２相性を持っており、妊娠や避妊を行う上で重要な情報となっている。一般的には、婦人体温計で測定した基礎体温を毎日記録してトレンドグラフを作成した上で、基礎体温法やオギノ式といった計算式に基づいて可妊期と避妊期とを見分け、妊娠や避妊、健康管理等を行うことになる。基礎体温は正確に測定しなければならないため、その測定は毎日定時に安静状態で、例えば起床前に横臥または仰向けの状態のままで行なう必要がある。
【発明の開示】
【発明が解決しようとする課題】
【０００３】
しかしながら、従来の婦人体温計では、体温測定を行なうためのセンサが内蔵されたプローブが円筒形状をしていた。基礎体温の測定は、平衡温に達するまで測定を続け、平衡温を記録するために測定には比較的長時間かかる。従来の円筒形のプローブは、口中に挿入して体温測定する場合に、口中の形状に馴染まず、プローブを定位置に保持するためには、被測定者が意識的に数分間もの間保持し続けねばならず、測定しづらいものであった。
【０００４】
また多くの場合、被測定者が覚醒した直後に横臥した状態で測定が行われることを考え合わせると、口中に馴染まないプローブは単に測定者に負担をかけるのみならず、その測定位置からのずれを誘発し、測定ミスや誤った測定値の記録という問題を起こしかねないものであった。
【０００５】
本発明は上記従来例に鑑みてなされたもので、被測定者に負担をかけず、測定し易い婦人体温計を提供することを目的とする。
【課題を解決するための手段】
【０００６】
上記目的を達成するために本発明の婦人体温計はつぎのような構成からなる。
【０００７】
測定日時や測定された体温、基礎体温のトレンド等の測定値に関する情報や、電池切れなど装置の制御に関する情報を表示する表示パネルと、体温測定に関する各種メモ情報を入力するためのキーパネルとを含む操作パネルを備える本体部と、プローブとを備え、該プローブを横臥したままの状態で口中に挿入して体温を測定する婦人体温計であって、前記プローブはコイルされた伸縮自在の合成樹脂製のケーブルで前記本体と接続され、前記プローブは先端部においてサーミスタを備え、該サーミスタが設けられた部分だけ金属製キャップで覆い、該プローブの幅をほとんどの部分で１３乃至１５ｍｍとした扁平形状としたことを特徴とする。
【０００８】
また望ましくは、前記プローブは、２つの部材を超音波溶着により接合してなる。
【発明の効果】
【０００９】
以上説明したように、本発明に係る婦人体温計は、被測定者に負担をかけずに体温を測定し易いという効果を奏する。
【発明を実施するための最良の形態】
【００１０】
本発明を適用した婦人用電子体温計を図面を参照して説明する。
【００１１】
＜装置の構成＞
図１は本実施の形態の婦人体温計本体１０の外観図であり、図１（ａ）は体温計本体の蓋を９０度程度開いた斜視図、（ｂ）は蓋を閉じた状態の斜視図である。この体温計本体は、口中に挿入して体温を検知するためのプローブ２と、コイルされた伸縮自在の合成樹脂製のケーブルで接続されている。また、本体には、測定日時や測定された体温、基礎体温のトレンド等などの測定値に関する情報や、電池切れなど装置の制御に関する情報を表示する表示パネルと、表示モードやアラーム時間のほか、体温測定に付随する各種メモ情報を入力するためのキーパネルとを含む操作パネル１が備えられている。
【００１２】
この体温計は定時測定を促進するために目覚まし機能を有しており、利用者により設定された時刻になると目覚し音を鳴らして利用者に体温測定を促す。被測定者がプローブ２を口中に挿入すると、体温計は、所定の条件、例えば検知している温度の上昇率が所定の率であり、かつ体温付近の温度であるといった条件を満たしている場合に、体温の測定を開始する。この後、体温計本体は、検知温度を所定時間ごとにサンプリングするとともに、平衡温に達した条件を判定して、平衡温に達したならばその温度をその日の測定値として記録する。この記録は体温の変化を示すトレンドグラフとして出力されたり、あるいは体温の変化に基づいて次回排卵日等を計算するのに用いられる。
【００１３】
＜プローブの形状＞
図２はプローブ２の形状及び寸法を示す三面図及び上面図に示した線Ａ−Ａにおける断面図である。プローブ２は、樹脂製の上部材２ａと下部材２ｂとを合わせ、検温用のサーミスタやその出力信号から体温を算出する体温算出部を覆った構造となっている。ただしサーミスタはその先端の測温部の内部に配置され、その部分だけ金属製などのキャップ２ｃで覆われている。また、体温算出部４はケーブル３に接続されており、ケーブル３を介して本体に測定された体温データを入力する。
【００１４】
ここで、プローブ２の形状は図２に示された通りである。プローブ２は、測温部が配置された先端部から３２．５mmの位置で、その厚み方向すなわち下部材２ｂ側に向けて「く」の字形状に１５５度〜１７０度（好ましくは１６０度〜１６５度）を成すように折り曲げられている。なお本実施形態では１６３度としている。また、そのほとんどの部分において厚さ３．５〜４．５mm，幅１３〜１５mm（好ましくは１４mm）の偏平形状となっており、屈曲部２ｄから先端部に向けて次第に幅が狭くなる。幅の狭くなり方は一様でなく、幅広の部分を大きく取り、また角部が生じないような形で測温部にむけて幅狭となっている。このため、図３に示すように、舌下部に測温部を挿入した状態でプローブの屈曲部位がちょうど下顎部の歯列上に位置する。この状態で口を軽く閉じれば、プローブの屈曲部位を支点として測温部側を舌により、ケーブル３側を上唇あるいは上側歯列により押さえることになる。こうしてプローブを舌下部に安定的に納めておくことができる。しかもプローブは偏平な形状なので押さえ易い。
【００１５】
したがって、この先端部から３２．５mmという屈曲部の位置は、測温部を舌下位置に挿入した場合に、平均的な体格の婦人であればちょうど口唇部に屈曲部２ｄがあたるように決められている。また、１６０度〜１６５度（逆にいえば直線形状から１５度〜２０度）という屈曲角度は、口中に挿入して安定する角度である。その上、体温計本体に設けられたプローブの収納部へ納め易いものとなっている。また、１３〜１５mmという幅は、成人婦女子の前歯（切歯）の一本の幅よりも大きくなっており、舌下部に安定して押さえられるようになっている。
【００１６】
このような形状のプローブを用いることにより、本実施形態の婦人体温計は、被測定者に負担をかけることなくプローブを口中に保持して体温を測定することができる。
【００１７】
＜プローブの製造＞
図４は、プローブ２を製造する際の様子を示す図である。プローブ２は射出成形などで一体に成形できない形状であるため、別々に成形された上部材２ａと下部材２ｂとをあわせて超音波溶着により接合する。
【００１８】
なお、プローブ２の下部材２ｂ及び上部材２ａの材料は同一材料が用いられる。この材料としては、ポリフェニレンオキサイド等のポリエーテル系樹脂；ポリエチレンテレフタレート、ポリブチレンテレフタレート等のポリエステル系樹脂；ポリアセタール系樹脂、ポリメチルメタクリレート等のアクリル系樹脂；ＡＢＳ樹脂、ハイインパクト・スチロール等のスチレン系樹脂；ポリ−２−メチルペンテン、ポリプロピレン等のポリオレフィン系樹脂，ポリカーボネート系樹脂から少なくとも１つ選ばれる不透明もしくは着色により不透明化された樹脂、またはこれらの樹脂に無機系抗菌剤を添加したものである。上記樹脂の中ではＡＢＳ樹脂が特に好ましく用いられる。
【００１９】
無機系抗菌剤としては、下記の一般式（１），（２）で表わされるリン酸ジルコニウム銀化合物が用いられる。
Ａｇn1Ｈm1Ｚｒ2（ＰＯ4）3 …（１）
（ｎ１＋ｍ１＝１．０，ｎ１＝０．１〜０．２）
Ａｇn2Ｈm2Ｚｒ2（ＰＯ4）2 …（２）
（ｎ２＋ｍ２＝２．０，ｎ２＝０．０１〜０．０３，ｋ＝１．５〜１．８）
これら樹脂で作られた部材の超音波溶着のために、まず、図６のように下部材２ｂの外観形状と同一の３次元形状が彫り込まれた超音波溶着用受け治具５に、上部材２ａと下部材２ｂと体温算出部４とケーブル３と測温部のサーミスタ７とそれらをつなぐ配線とを図２のように組合わせた状態でセットしておく。その上に、図６に示したように上部材２ａの外観形状と同一の３次元形状が彫り込まれた超音波溶着用ホーン６を被せ、１平方ｃｍあたり２．０〜４．０ｋｇの力で押圧し、ホーン６から溶着される部材に超音波を０．２〜１．０秒程度（約９００Ｗ）印加して、上部材２ａと下部材２ｂとを溶着する。
【００２０】
図５は、溶着される部材及び受け冶具５，ホーン６の断面図である。プローブの先端２ｅ付近から順にＡ−Ａ断面図、Ｂ−Ｂ断面図、Ｃ−Ｃ断面図である。図は超音波印加以前の状態を示しており、上部材２ａと下部材２ｂとがまだ溶着されていない。この図示された状態から、ホーン６と受け冶具５とをあわせてホーン６から超音波を印加することで、上部材２ａの内側に接する下部材２ｂの凸部が溶け、上部材２ａと下部材２ｂとの溶着が完了する。この後、エポキシ樹脂等のポッティング材を充填したキャップ２ｃを先端部２ｅに被せて、乾燥させてプローブを完成させる。
【００２１】
以上のように製造されたプローブは、偏平な形状であるため、被測定者はプローブを口中に保持し易く、また、適当な位置に屈曲部を設けられているため、被測定者に余計な負担をかけることなく体温を測定できる。
【図面の簡単な説明】
【００２２】
【図１】実施の形態における体温計の外観図である。
【図２】プローブの三面図及び断面図である。
【図３】プローブを口中に保持する様子を示す図である。
【図４】プローブを超音波溶着により製造する様子を示す図である。
【図５】プローブを超音波溶着により製造する際の、各部位における断面図である。
【図６】超音波溶着に用いるホーンと受け治具の図である。
【符号の説明】
【００２３】
１ 操作パネル
２ プローブ
２ａ プローブ上部材
２ｂ プローブ下部材
２ｃ 測温部キャップ
３ ケーブル
４ 体温算出部
５ 超音波溶着用受け治具
６ 超音波溶着用ホーン
【図１】
2005010169.tif 000003
【図２】
2005010169.tif 000004
【図３】
2005010169.tif 000005
【図４】
2005010169.tif 000006
【図５】
2005010169.tif 000007
【図６】
2005010169.tif 000008